(57)【要約】【課題】浴室用リモコン装置に関し、透音口を介してカバーの内部に浸入した湯水を即座に外部に排出させることができ、音声発生手段の性能を低下させないことを目的とする。【解決手段】音声を発生させるスピーカ１４０を有するリモコン装置本体１１１と、当該リモコン装置本体１１１を覆うカバー１１０と、を備える。カバー１１０は、スピーカ１４０が発する音声を透過させるための透音口１２０と、当該透音口１２０を介してカバー１１０の内部に浸入した水を外部に排出するための排出口１３０と、を含む。排出口１３０の開口面積が、透音口１２０の開口面積と略同一となるように設定されている。【選択図】図３
2011135974.tif 000002
【特許請求の範囲】
【請求項１】
浴室に設置され、給湯機を遠隔操作する浴室用リモコン装置であって、
音声を発生させる音声発生手段を有するリモコン装置本体と、
前記リモコン装置本体を覆うカバーと、を備え、
前記カバーは、前記音声発生手段が発する音声を透過させるための透音口と、前記透音口を介して前記カバーの内部に浸入した水を外部に排出するための排出口と、を含み、
前記排出口の開口面積が、前記透音口の開口面積と略同一であるか若しくは大きいことを特徴とする浴室用リモコン装置。
【請求項２】
前記透音口および前記排出口は、それぞれ、複数の長穴からなる開口部であり、
前記排出口における前記長穴の最短開口幅が、前記透音口における前記長穴の最短開口幅よりも大きいことを特徴とする請求項１に記載の浴室用リモコン装置。
【請求項３】
前記透音口は、前記カバーの前面に設けられており、
前記排出口は、前記カバーの側面において前記透音口よりも下方に設けられており、
前記リモコン装置本体は、前記透音口を介して前記カバーの内部に浸入した水を前記排出口に向けて案内する案内部を備えることを特徴とする請求項１または２に記載の浴室用リモコン装置。
【請求項４】
前記透音口は、複数の縦方向に長い長穴からなる開口部であり、
前記排出口は、複数の横方向に長い長穴からなる開口部であることを特徴とする請求項１乃至３のいずれか１つに記載の浴室用リモコン装置。
【発明の詳細な説明】
【技術分野】
【０００１】
この発明は、浴室に設置される浴室用リモコン装置に関する。
【背景技術】
【０００２】
浴室に設置されて給湯機を遠隔操作するリモコン装置は、常に湯水がかかる状態にさらされている。リモコン装置には、操作補助の音声ガイダンスや、浴室外へ通話が可能なインターフォン機能のためにスピーカ（音声発生手段）が設置される。しかし、スピーカの前方に湯水が滞留していると、スピーカの性能が著しく低下するという問題がある。
【０００３】
従来、例えば特許文献１には、給湯機を遠隔操作するリモコン装置等の浴室用電子装置が開示されている。この従来の装置は、装置本体を覆うカバーのスピーカ取付部の前方にスリット状の透音口を設けることにより、透音口から湯水が離脱し易くしている。更に、上記従来の装置では、透音口内に滞留する湯水を透音口外へ導出する導出部を備えている。
【先行技術文献】
【特許文献】
【０００４】
【特許文献１】特開２００５−２０４１４９号公報
【発明の概要】
【発明が解決しようとする課題】
【０００５】
上述した従来の装置のように、スリット状に形成された透音口とともに上記導出部を備えたものであっても、シャワーなどによって大量の湯水が透音口にかかった場合、導出部からの湯水の離脱には時間を要し、その間のスピーカの性能が著しく低下してしまう。
【０００６】
この発明は、上述のような課題を解決するためになされたもので、透音口を介してカバーの内部に浸入した湯水を即座に外部に排出させることができ、音声発生手段の性能を低下させない浴室用リモコン装置を提供することを目的とする。
【課題を解決するための手段】
【０００７】
この発明に係る浴室用リモコン装置は、浴室に設置され、給湯機を遠隔操作する浴室用リモコン装置であって、音声を発生させる音声発生手段を有するリモコン装置本体と、リモコン装置本体を覆うカバーと、を備え、カバーは、音声発生手段が発する音声を透過させるための透音口と、透音口を介してカバーの内部に浸入した水を外部に排出するための排出口と、を含み、排出口の開口面積が、透音口の開口面積と略同一であるか若しくは大きいことを特徴とするものである。
【発明の効果】
【０００８】
この発明によれば、透音口を介してカバーの内部に浸入した湯水を即座に外部に排出させることができ、音声発生手段の性能を低下させない浴室用リモコン装置を得ることができる。
【図面の簡単な説明】
【０００９】
【図１】本発明の実施の形態１における浴室用リモコン装置の設置状態を表した図である。
【図２】図１に示す浴室用リモコン装置の分解斜視図である。
【図３】図２におけるスピーカ周辺部位の拡大図である。
【図４】浴室用リモコン装置を図１中のＡ−Ａ線で切断した断面図である。
【図５】スピーカの周辺における浴室用リモコン装置の透視図（Ａ）、（Ｂ）である。
【発明を実施するための形態】
【００１０】
実施の形態１．
図１は、本発明の実施の形態１における浴室用リモコン装置１００の設置状態を表した図である。図１に示すように、浴室用リモコン装置１００は、浴室内において浴槽１の上方の壁に取り付けられている。このように、浴室用リモコン装置１００は、常に湯水がかかり易い環境下に設置されている。
【００１１】
図２は、図１に示す浴室用リモコン装置１００の分解斜視図である。浴室用リモコン装置１００は、浴槽１に湯を供給する給湯機（図示省略）と台所に設けられる台所用リモコン装置（図示省略）との間で、有線（または無線）による通信を行い、上記給湯機を遠隔操作する装置である。図２に示すように、浴室用リモコン装置１００は、リモコン装置本体１１１と、当該リモコン装置本体１１１を覆うカバー１１０とによって構成されている。
【００１２】
浴室用リモコン装置１００には、操作補助のための音声ガイダンス機能や、上記台所リモコン装置を介して浴室外へ通話が可能なインターフォン機能が備わっている。浴室用リモコン装置１００は、これらの機能を実現するための音声発生手段として、前方へ発音するためのスピーカ１４０を備えている。カバー１１０には、スピーカ１４０が発する音声を透過させるための透音口１２０と、当該透音口１２０を介してカバー１１０の内部に浸入した水をリモコン装置本体１１１の外部に排出するための排出口１３０とが、それぞれ形成されている。
【００１３】
図３は、図２におけるスピーカ１４０周辺部位の拡大図であり、図４は、浴室用リモコン装置１００を図１中のＡ−Ａ線で切断した断面図である。図３に示すように、透音口１２０は、カバー１１０の前面における、スピーカ１４０に相対する部分に設けられている。透音口１２０は、表面張力により湯水が滞留しないように、複数の（図３においては３つの）縦長の長穴（スリット）からなる開口部として形成されている。
【００１４】
一方、排出口１３０は、スピーカ１４０に近いカバー１１０の側面において透音口１２０よりも下方に設けられている。排出口１３０は、複数の（図３においては３つの）横長の長穴（スリット）からなる開口部として形成されている。そのうえで、排出口１３０の開口面積は、透音口１２０の開口面積と略同一となるように設定されている。
【００１５】
また、カバー１１０の内部に浸入した水を容易に流せるようにするために、スピーカ１４０に対向するカバー１１０の内壁面と、スピーカ１４０が取り付けられたリモコン装置本体１１１との間には、図４に示すように、空間（隙間）１５０が確保されている。更に、リモコン装置本体１１１には、透音口１２０を介してカバー１１０の内部に浸入した水を排出口１３０に向けて、排出口１３０がやや下方となるようにやや傾斜させて案内する案内部として、カバー１１０の内壁面側に隆起した隆起部１１１ａと、上記空間１５０から排出口１３０に向かう通路を排出口１３０に近づくにしたがって拡大するように構成した凹部１１１ｂとがそれぞれ形成されている。
【００１６】
図５は、スピーカ１４０の周辺における浴室用リモコン装置１００の透視図である。より具体的には、図５（Ａ）は、その正面図であり、図５（Ｂ）は、その斜視図である。図５（Ｂ）に示すように、シャワー等の湯水が浴室用リモコン装置１００にかかった場合、カバー１１０の透音口１２０から湯水がカバー１１０の内部に浸入する。カバー１１０の内部に浸入した湯水は、リモコン装置本体１１１とカバー１１０との間の空間１５０に一時的に滞留していく。その後、カバー１１０内に浸入した湯水は、図５（Ａ）、（Ｂ）中に「流水経路」と付して示すように、案内部（隆起部１１１ａと凹部１１１ｂ）によって案内されて流れることにより、スピーカ１４０の下方側面に設置されている排出口１３０に集約されたうえで、排出口１３０を通ってリモコン装置本体１１１の外部に排出される。
【００１７】
本実施形態の浴室用リモコン装置１００では、上述したように、透音口１２０の開口面積と排出口１３０の開口面積とが略同一となるように設定され、透音口１２０が縦長の穴で構成され、排出口１３０が横長の穴で構成されている。このため、カバー１１０の内部に浸入しようとする湯水は、透音口１２０の縦長の穴に表面張力で付着しても縦長の穴の上部は塞がれにくく、空気を内部に導入しやすくなるため、スピーカ１４０の前方の空間１５０に長く滞留することはなく、カバー１１０の内部から排出口１３０を経由して即座に排出されるようになる。また、排出口１３０は、空間１５０に滞留する湯水が多い場合は複数の横長の穴から湯水を排出し、滞留する湯水が少ない場合や排出が進んで量が少なくなった場合は、最下部の横穴から排出するようになるので、穴を縦に配置した場合と比べ同一の配置幅に横長の穴を構成したことで、排出の最後まで開口面積を大きく取ることが可能となる。これは、限られたリモコンの厚み（厚くなりすぎると、意匠性や設置性に難）のなかで、排出口を構成する際に有用である。これにより、シャワーなどによって大量の湯水が透音口１２０にかかった場合であっても、スピーカ性能を低下させることなく浴室用リモコン装置１００を使用することが可能となる。
【００１８】
ところで、上述した実施の形態１においては、透音口１２０の開口面積と排出口１３０の開口面積とが略同一となるように設定されている浴室用リモコン装置１００を例に挙げて説明した。しかしながら、本発明における浴室用リモコン装置はこれに限定されるものではなく、排出口の開口面積が透音口の開口面積よりも大きく設定されているものであってもよい。これにより、上述した実施の形態１の構成と同様に、カバーの内部に浸入した湯水をスピーカの前方に長く滞留させずに即座に排出できるようになる。
【００１９】
また、本発明において、カバーの内部に浸入した湯水を即座に外部に排出できるようにするために、例えば、次のような構成を備えるようにしてもよい。すなわち、図４中に示す排出口１３０の各長穴の最短開口幅１３０ａが、透音口１２０の各長穴の最短開口幅１２０ａよりも大きく設定される構成を備えるようにしてもよい。これにより、排出口１３０側の長穴の部分に表面張力により残留する湯水を透音口１２０の長穴に残留する湯水よりも少なくすることができ、より排出能力を確保しやすくなる。
【符号の説明】
【００２０】
１  浴槽
１００  浴室用リモコン装置
１１０  カバー
１１１  リモコン装置本体
１１１ａ  隆起部
１１１ｂ  凹部
１２０  透音口
１２０ａ  最短開口幅
１３０  排出口
１３０ａ  最短開口幅
１４０  スピーカ
１５０  空間
【図１】
2011135974.tif 000003
【図２】
2011135974.tif 000004
【図３】
2011135974.tif 000005
【図４】
2011135974.tif 000006
【図５】
2011135974.tif 000007